(57)【要約】【課題】ステップの着脱作業を容易に行うことができる乗客コンベアのステップ着脱装置を提供する。【解決手段】乗客コンベアのステップ着脱装置は、ステップの踏板に形成された穴を貫通し、一方向に回転しながらねじ込まれることにより当該ステップの下方に設けられたステップ軸に当該ステップを固定する固定体の頭部の凹部に嵌まる下端部を有した棒体と、前記棒体の上部に連結され、前記棒体の下端部が前記固定体の頭部の凹部に嵌った際に当該ステップの両側に設けられたパネルの高さ方向の中央部と同等の高さに配置される操作体と、を備えた。【選択図】図４
2016172628.tif 000002
【特許請求の範囲】
【請求項１】
ステップの踏板に形成された穴を貫通し、一方向に回転しながらねじ込まれることにより当該ステップの下方に設けられたステップ軸に当該ステップを固定する固定体の頭部の凹部に嵌まる下端部を有した棒体と、
前記棒体の上部に連結され、前記棒体の下端部が前記固定体の頭部の凹部に嵌った際に当該ステップの両側に設けられたパネルの高さ方向の中央部と同等の高さに配置される操作体と、
を備えた乗客コンベアのステップ着脱装置。
【請求項２】
前記操作体は、
前記棒体の上部に連結した中央部を有した水平部と、
前記水平部の両側から上方に突き出した一対の把持部と、
を備えた請求項１に記載の乗客コンベアのステップ着脱装置。
【請求項３】
前記一対の把持部の一部は、前記棒体の下端部が前記固定体の頭部の凹部に嵌った際に前記パネルの高さ方向の中央部と同等の高さに配置される請求項２に記載の乗客コンベアのステップ着脱装置。
【請求項４】
前記棒体に設けられ、前記固定体のねじ込み方向とは反対方向に対して前記棒体の下部にかかるトルクが予め設定されたトルクに達した際に前記棒体の上部にかかるトルクが前記棒体の下部に伝達することを遮断する遮断体、
を備えた請求項１から請求項３のいずれか一項に記載の乗客コンベアのステップ着脱装置。
【請求項５】
前記操作体に設けられ、前記遮断体により前記棒体の上部にかかるトルクが前記棒体の下部に伝達することが遮断された際に音または光を発する報知体、
を備えた請求項４に記載の乗客コンベアのステップ着脱装置。
【請求項６】
前記踏板の奥行方向を長手方向として前記踏板の上面に形成された複数の凹凸に嵌る複数の凹凸が形成された下面を有した案内体、
を備え、
前記棒体は、前記案内体を貫通し、前記案内体の複数の凹凸が前記踏板の側部の側から前記踏板の複数の凹凸に嵌った際に前記穴が設けられた凹部に案内される請求項１から請求項５のいずれか一項に記載の乗客コンベアのステップ着脱装置。
【請求項７】
前記棒体の内部に収納された操作軸と、
前記操作軸の下端部に連結され、前記操作軸が下方に移動した際に前記棒体の下端部の内部に収納された状態から前記棒体の下端部の外側に露出した状態になり、前記操作軸が上方に移動した際に前記棒体の下端部の外側に露出した状態から前記棒体の下端部の内部に収納された状態になる清掃体と、
を備えた請求項１から請求項６のいずれか一項に記載の乗客コンベアのステップ着脱装置。
【請求項８】
前記清掃体は、前記棒体の下端部の外側に露出した際に前記棒体の下端部の径方向に広がる先端部を有した複数の線状の部材で形成された請求項７に記載の乗客コンベアのステップ着脱装置。
【請求項９】
前記清掃体は、前記棒体の下端部の外側に露出した際に下方に行くにつれて前記棒体の下端部の径方向に広がる螺旋状の部材で形成された請求項７に記載の乗客コンベアのステップ着脱装置。
【請求項１０】
ステップの踏板に形成された穴を貫通し、一方向に回転しながらねじ込まれることにより当該ステップの下方に設けられたステップ軸に当該ステップを固定する固定体の頭部の凹部に嵌る下端部を有した棒体と、
前記棒体の上部に連結された操作体と、
前記棒体に設けられ、前記固定体のねじ込み方向とは反対方向に対して前記棒体の下部にかかるトルクが予め設定されたトルクに達した際に前記棒体の上部にかかるトルクが前記棒体の下部に伝達することを遮断する遮断体と、
を備えた乗客コンベアのステップ着脱装置。
【発明の詳細な説明】
【技術分野】
【０００１】
この発明は、乗客コンベアのステップ着脱装置に関する。
【背景技術】
【０００２】
特許文献１は、乗客コンベアを開示する。乗客コンベアは、複数のステップ軸を備える。複数のステップ軸は、無端状に連結される。複数のステップの各々は、ステップ軸の各々に固定される。その結果、複数のステップは、無端状に配置される。この際、複数のステップは、乗客コンベアの傾斜部において階段状に配置される。
【先行技術文献】
【特許文献】
【０００３】
【特許文献１】特開２００６−２９０５０２号公報
【発明の概要】
【発明が解決しようとする課題】
【０００４】
例えば、乗客コンベアのトラスを清掃する際、作業員は、中腰の状態で往路側の複数のステップ２のうちの約半数のステップを一段ずつステップ軸への固定から解放させる。このため、作業員は、無理な姿勢で作業を行う必要がある。
【０００５】
この発明は、上述の課題を解決するためになされた。この発明の目的は、ステップの着脱作業を容易に行うことができる乗客コンベアのステップ着脱装置を提供することである。
【課題を解決するための手段】
【０００６】
この発明に係る乗客コンベアのステップ着脱装置は、ステップの踏板に形成された穴を貫通し、一方向に回転しながらねじ込まれることにより当該ステップの下方に設けられたステップ軸に当該ステップを固定する固定体の頭部の凹部に嵌まる下端部を有した棒体と、前記棒体の上部に連結され、前記棒体の下端部が前記固定体の頭部の凹部に嵌った際に当該ステップの両側に設けられたパネルの高さ方向の中央部と同等の高さに配置される操作体と、を備えた。
【０００７】
この発明に係る乗客コンベアのステップ着脱装置は、ステップの踏板に形成された穴を貫通し、一方向に回転しながらねじ込まれることにより当該ステップの下方に設けられたステップ軸に当該ステップを固定する固定体の頭部の凹部に嵌合する下端部を有した棒体と、前記棒体の上部に連結された操作体と、前記棒体に設けられ、前記固定体のねじ込み方向とは反対方向に対して前記棒体の下部にかかるトルクが予め設定されたトルクに達した際に前記棒体の上部にかかるトルクが前記棒体の下部に伝達することを遮断する遮断体と、を備えた。
【発明の効果】
【０００８】
これらの発明によれば、操作体は、棒体の上部に連結される。このため、ステップの着脱作業を容易に行うことができる。
【図面の簡単な説明】
【０００９】
【図１】この発明の実施の形態１における乗客コンベアのステップ着脱装置が適用される乗客コンベアの縦断面図である。
【図２】この発明の実施の形態１における乗客コンベアのステップ着脱装置が適用される乗客コンベアのステップの側面図である。
【図３】この発明の実施の形態１における乗客コンベアのステップ着脱装置が適用される乗客コンベアのステップの平面図である。
【図４】この発明の実施の形態１における乗客コンベアのステップ着脱装置の正面図である。
【図５】この発明の実施の形態１における乗客コンベアのステップ着脱装置の平面図である。
【図６】この発明の実施の形態２における乗客コンベアのステップ着脱装置の要部の縦断面図である。
【図７】この発明の実施の形態２における乗客コンベアのステップ着脱装置の要部の縦断面図である。
【図８】この発明の実施の形態３における乗客コンベアのステップ着脱装置の要部の縦断面図である。
【図９】この発明の実施の形態３における乗客コンベアのステップ着脱装置の要部の縦断面図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１における乗客コンベアのステップ着脱装置が適用される乗客コンベアの縦断面図である。
【００１２】
図１において、乗客コンベアは、複数のステップ軸１を備える。複数のステップ軸１は、無端状に連結される。複数のステップ２の各々は、ステップ軸１の各々に固定される。その結果、複数のステップ２は、無端状に配置される。この際、往路側の複数のステップ２は、乗客コンベアの傾斜部において階段状に配置される。
【００１３】
パネル３の一方は、複数のステップ２の一側に隣接する。パネル３の他方は、複数のステップ２の他側に隣接する。手摺４の一方は、パネル３の一方の側において無端状に設けられる。手摺４の他方は、パネル３の他方の側において無端状に設けられる。
【００１４】
複数のステップ軸１は、循環移動する。複数のステップ２は、複数のステップ軸１と同期して循環移動する。手摺４は、複数のステップ２と同期して循環移動する。利用者は、乗客コンベアの一側において手摺４に掴んでステップ２に乗ることで乗客コンベアの他側へ移動する。
【００１５】
次に、図２を用いて、ステップ２のステップ軸１への固定を説明する。
図２はこの発明の実施の形態１における乗客コンベアのステップ着脱装置が適用される乗客コンベアのステップの側面図である。
【００１６】
図２のステップ２において、踏板２ａは、ステップ２の上面を形成する。支持体２ｂは、踏板２ａの下方において上方階の側に設けられる。
【００１７】
ステップ軸１は、踏板２ａの下方において上方階の側に配置される。例えば、固定体５は、六角穴付ボルトからなる。固定体５は、ステップ軸１に支持された支持体２ｂに対して上方から一方向に回転しながらねじ込まれる。その結果、ステップ２は、ステップ軸１に固定される。
【００１８】
次に、図３を用いて、踏板２ａを説明する。
図３はこの発明の実施の形態１における乗客コンベアのステップ着脱装置が適用される乗客コンベアのステップの平面図である。
【００１９】
図３に示すように、踏板２ａは、矩形状に形成される。踏板２ａは、複数の凹凸６を有する。複数の凹凸６は、踏板２ａの上面の全面に形成される。複数の凹凸６は、踏板２ａの奥行方向を長手方向とする。例えば、穴７の一方は、踏板２ａの一側部の側から６列目の凹部に形成される。例えば、穴７の他方は、踏板２ａの他側部の側から６列目の凹部に形成される。
【００２０】
次に、図４を用いて、ステップ着脱装置を説明する。
図４はこの発明の実施の形態１における乗客コンベアのステップ着脱装置の正面図である。
【００２１】
ステップ着脱装置は、棒体８と操作体９と遮断体１０と報知体１１と案内体１２と一対の抑制体１３とを備える。
【００２２】
例えば、棒体８は、鉄で形成される。棒体８の長手方向は、鉛直方向となる。棒体８の下端部は、固定体５の頭部に形成された凹部の形状に合わせて形成される。
【００２３】
例えば、操作体９は、鉄で形成される。操作体９は、水平部９ａと一対の把持部９ｂとを備える。水平部９ａの中心部は、棒体８の上部に連結される。一対の把持部９ｂは、水平部９ａの両側から上方に突き出す。
【００２４】
例えば、遮断体１０は、トルクリミッタからなる。遮断体１０は、棒体８の中央部に設けられる。
【００２５】
例えば、報知体１１は、ブザーまたはランプからなる。報知体１１は、操作体９の水平部９ａの上部に設けられる。
【００２６】
例えば、案内体１２は、鉄で形成される。案内体１２は、複数の凹凸１２ａと穴１２ｂとを備える。複数の凹凸１２ａは、案内体１２の下面において踏板２ａの複数の凹凸６に合わせて形成される。穴１２ｂは、案内体１２を鉛直方向に貫通する。穴１２ｂは、棒体８の下部を鉛直方向に案内する。
【００２７】
例えば、抑制体１３の一方は、環状に形成される。抑制体１３の一方は、案内体１２の下方において棒体８の外周に固定される。例えば、抑制体１３の他方は、環状に形成される。抑制体１３の他方は、案内体１２の上方において棒体８の外周に固定される。
【００２８】
例えば、往路側の複数のステップ２の半数または全てをステップ軸１への固定から解放する際、作業員は、案内体１２の複数の凹凸１２ａを踏板２ａの側部の側から踏板２ａの複数の凹凸６に嵌める。その結果、棒体８の下端部は、穴７が形成された凹部に案内される。
【００２９】
その後、作業員は、棒体８の下端部を穴７に貫通させる。その後、作業員は、棒体８の下端部を固定体５の頭部に形成された凹部に嵌める。この際、操作体９は、パネル３（図４においては図示せず）の高さ方向の中央部と同等の高さに配置される。具体的には、一対の把持部９ｂの一部は、パネル３の高さ方向の中央部と同等の高さに配置される。
【００３０】
その後、作業員は、操作体９の一対の把持部９ｂを掴んで棒体８を他方向に回転させる。この際、固定体５は、棒体８の回転に追従して他方向に回転する。その結果、固定体５は、ステップ２のステップ軸１（図４においては図示せず）への固定を解放する。その後、作業員は、ステップ２を持ち上げることによりステップ２をステップ軸１から取り外す。
【００３１】
ステップ２をステップ軸１に固定する際、作業員は、ステップ軸１にステップ２を載せる。その後、作業員は、案内体１２の複数の凹凸１２ａを踏板２ａの側部の側から踏板２ａの複数の凹凸６に嵌める。その結果、棒体８の下端部は、穴７が形成された凹部に案内される。
【００３２】
その後、作業員は、棒体８の下端部を穴７に貫通させる。その後、作業員は、棒体８の下端部を固定体５の頭部に形成された凹部に嵌める。この際、操作体９は、パネル３の高さ方向の中央部と同等の高さに配置される。
【００３３】
その後、作業員は、操作体９の一対の把持部を掴んで棒体８を一方向に回転させる。この際、固定体５は、棒体８の回転に追従して一方向に回転する。固定体５のねじ込み方向とは反対方向に対して棒体８の下部にかかるトルクが予め設定されたトルクに達した際、遮断体１０は、棒体８の上部にかかるトルクが棒体８の下部に伝達することを遮断する。その結果、操作体９を一方向に回転しても、棒体８の下部は回転しない。この際、報知体１１は、音または光を発する。作業員は、音または光を認識することにより固定体５が予め設定されたトルクでねじ込まれたことを把握する。
【００３４】
次に、図５を用いて、案内体１２の穴１２ｂの配置を説明する。
図５はこの発明の実施の形態１における乗客コンベアのステップ着脱装置の平面図である。
【００３５】
図５に示すように、穴１２ｂは、案内体１２が上方階の側のステップ２（図５においては図示せず）に接触した際に固定体５の頭部の上方に配置される。その結果、棒体８（図５においては図示せず）の下端部は、固定体５の頭部に形成された凹部に容易に嵌る。
【００３６】
以上で説明した実施の形態１によれば、操作体９は、棒体８の上部に連結される。このため、ステップ２の着脱作業を容易に行うことができる。
【００３７】
また、操作体９は、棒体８の下端部が固定体５の頭部の凹部に嵌合した際に当該ステップ２の両側に設けられたパネル３の高さ方向の中央部と同等の高さに配置される。このため、作業員は、無理のない姿勢で作業を行うことができる。
【００３８】
また、操作体９は、一対の把持部９ｂを備える。このため、作業員は、棒体８に容易にトルクをかけることができる。
【００３９】
また、遮断体１０は、固定体５のねじ込み方向とは反対方向に対して棒体８の下部にかかるトルクが予め設定されたトルクに達した際に棒体８の上部にかかるトルクが棒体８の下部に伝達することを遮断する。このため、予め設定されたトルクで固定体５をねじ込むことができる。
【００４０】
また、報知体１１は、棒体８の上部にかかるトルクが棒体８の下部に伝達することが遮断された際に音または光を発する。このため、固定体５のねじ込みの終了を作業者に報知することができる。その結果、ステップ２のステップ軸１への固定状態を覗き込む必要がなくなる。
【００４１】
また、棒体８は、案内体１２の複数の凹凸が踏板２ａの側部の側から踏板２ａの複数の凹凸に嵌った際に穴７が設けられた凹部に案内される。このため、異物が踏板２ａの穴７に詰まっている場合でも、棒体８の下端部を踏板２ａの穴７に容易に貫通させることができる。
【００４２】
実施の形態２．
図６はこの発明の実施の形態２における乗客コンベアのステップ着脱装置の要部の縦断面図である。なお、実施の形態１と同一又は相当部分には同一符号が付される。当該部分の説明は省略される。
【００４３】
実施の形態２のステップ着脱装置は、実施の形態１のステップ着脱装置に操作軸１４と清掃体１５とを付加したものである。
【００４４】
例えば、操作軸１４は、鉄で形成される。操作軸１４は、棒状に形成される。操作軸１４は、棒体８の内部に収納される。操作軸１４の上端部は、操作体９の水平部９ａ（図６においては図示せず）を鉛直方向に貫通する。操作軸１４の上端部は、操作体９の水平部９ａから上方に突き出す。
【００４５】
清掃体１５は、操作軸１４の下端部に連結される。例えば、清掃体１５は、複数の線状の部材１５ａで形成される。例えば、線状の部材１５ａの各々は、鉄で形成される。複数の線状の部材は、棒体８の下端部の内部に収納される。
【００４６】
次に、図７を用いて、固定体５の頭部に形成された凹部の清掃方法を説明する。
図７はこの発明の実施の形態２における乗客コンベアのステップ着脱装置の要部の縦断面図である。
【００４７】
作業員は、棒体８の下端部を穴７（図７においては図示せず）に貫通させる。その後、作業員は、棒体８の下端部を固定体５（図７においては図示せず）の頭部に形成された凹部の上方に配置させる。その後、作業員は、操作軸１４を下方に移動させる。その結果、清掃体１５は、棒体８の下端部の外側に露出する。この際、複数の線状の部材１５ａの先端部は、棒体８の下端部の径方向に広がることにより固定体５の頭部に形成された凹部に蓄積した異物を当該凹部から掃き出す。
【００４８】
その後、作業員は、操作軸１４を上方に移動させる。その結果、清掃体１５は、棒体８の下端部の内部に収納される。その後、作業員は、棒体８の下端部を固定体５の頭部に形成された凹部に嵌める。その後、作業員は、実施の形態１と同様の作業を行う。
【００４９】
以上で説明した実施の形態２によれば、清掃体１５は、操作軸１４が下方に移動した際に棒体８の下端部の内部に収納された状態から棒体８の下端部の外側に露出した状態になる。このため、固定体５の頭部に形成された凹部に蓄積した異物を当該凹部から掃き出すことができる。
【００５０】
また、複数の線状の部材１５ａの先端部は、棒体８の下端部の外側に露出した際に棒体８の下端部の径方向に広がる。このため、固定体５の頭部に形成された凹部に蓄積した異物を当該凹部から効率的に掃き出すことができる。
【００５１】
実施の形態３．
図８はこの発明の実施の形態３における乗客コンベアのステップ着脱装置の要部の縦断面図である。なお、実施の形態１または実施の形態２と同一又は相当部分には同一符号が付される。当該部分の説明は省略される。
【００５２】
実施の形態２の清掃体１５は、複数の線状の部材１５ａで形成される。これに対し、実施の形態３の清掃体１５は、螺旋状の部材１５ｂで形成される。
【００５３】
次に、図９を用いて、固定体５の頭部に形成された凹部の清掃方法を説明する。
図９はこの発明の実施の形態３における乗客コンベアのステップ着脱装置の要部の縦断面図である。
【００５４】
作業員は、棒体８の下端部を穴７（図９においては図示せず）に貫通させる。その後、作業員は、棒体８の下端部を固定体５（図９においては図示せず）の頭部に形成された凹部の上方に配置させる。その後、作業員は、操作軸１４を下方に移動させる。その結果、清掃体１５は、棒体８の下端部の外側に露出する。この際、螺旋状の部材１５ｂは、下方に行くにつれて棒体８の下端部の径方向に広がることにより固定体５の頭部に形成された凹部に蓄積した異物を当該凹部から掃き出す。
【００５５】
その後、作業員は、操作軸１４を上方に移動させる。その結果、清掃体１５は、棒体８の下端部の内部に収納される。その後、作業員は、棒体８の下端部を固定体５の頭部に形成された凹部に嵌める。その後、作業員は、実施の形態１および実施の形態２と同様の作業を行う。
【００５６】
以上で説明した実施の形態３によれば、螺旋状の部材１５ｂは、棒体８の下端部の外側に露出した際に下方に行くにつれて前記棒体８の下端部の径方向に広がる。このため、固定体５の頭部に形成された凹部に蓄積した異物を当該凹部から効率的に掃き出すことができる。
【符号の説明】
【００５７】
１  ステップ軸、  ２  ステップ、  ２ａ  踏板、  ２ｂ  支持体、  ３  パネル、  ４  手摺、  ５  固定体、  ６  凹凸、  ７  穴、  ８  棒体、  ９  操作体、  ９ａ、  水平部、  ９ｂ  把持部、  １０  遮断体、  １１  報知体、  １２  案内体、  １２ａ  凹凸、  １２ｂ  穴、  １３  抑制体、  １４  操作軸、  １５  清掃体、  １５ａ  部材、  １５ｂ  部材
【図１】
2016172628.tif 000003
【図２】
2016172628.tif 000004
【図３】
2016172628.tif 000005
【図４】
2016172628.tif 000006
【図５】
2016172628.tif 000007
【図６】
2016172628.tif 000008
【図７】
2016172628.tif 000009
【図８】
2016172628.tif 000010
【図９】
2016172628.tif 000011